(57)【要約】【課題】  少ない操作で所望の値に調整することのできる操作装置、操作プログラム、記憶媒体及び操作方法を提供する。【解決手段】    所定の軌道に沿って移動する操作部位を有する操作オブジェクトのイメージを表示する手順と、操作部位の軌道上の位置を検出する位置検出手順と、位置検出手順で検出した位置が軌道上の第１のエリア内にある場合は、軌道上の位置に対応した値を出力値とする出力手順と、位置検出手順で検出した位置が第１のエリアに隣接する軌道上の第２のエリア内にある場合は、軌道上の位置に対応した出力値を順次増加させるインクリメント手順と、位置検出手順で検出した位置が第１のエリアに隣接する軌道上の第３のエリア内にある場合は、軌道上の位置に対応した出力値を順次減少させるデクリメント手順と、をコンピュータに実行させるためのプログラムである。【選択図】    図１１
2005128954.tif 000002
【特許請求の範囲】
【請求項１】
所定の軌道に沿って移動する操作部位を有する操作オブジェクトのイメージを表示する手順と、
前記操作部位の軌道上の位置を検出する位置検出手順と、
前記位置検出手順で検出した位置が前記軌道上の第１のエリア内にある場合は、前記軌道上の位置に対応した値を出力値とする出力手順と、
前記位置検出手順で検出した位置が前記第１のエリアに隣接する前記軌道上の第２のエリア内にある場合は、前記軌道上の位置に対応した前記出力値を順次増加させるインクリメント手順と、
前記位置検出手順で検出した位置が前記第１のエリアに隣接する前記軌道上の第３のエリア内にある場合は、前記軌道上の位置に対応した前記出力値を順次減少させるデクリメント手順と、
をコンピュータに実行させるためのプログラム。
【請求項２】
前記軌道は、直線であることを特徴とする請求項１に記載のプログラム。
【請求項３】
前記軌道は、円弧であることを特徴とする請求項１に記載のプログラム。
【請求項４】
所定の軸のまわりに回動する操作部位を有する操作オブジェクトのイメージを表示する手順と、
前記操作部位の回動位置を検出する位置検出手順と、
前記位置検出手順で検出した回動位置が回動軌道上の第１のエリア内にある場合は、前記回動位置に対応した値を出力値とする出力手順と、
前記位置検出手順で検出した回動位置が前記第１のエリアに隣接する前記回動軌道上の第２のエリア内にある場合は、前記回動位置に対応した前記出力値を順次増加させるインクリメント手順と、
前記位置検出手順で検出した回動位置が前記第１のエリアに隣接する前記回動軌道上の第３のエリア内にある場合は、前記回動位置に対応した前記出力値を順次減少させるデクリメント手順と、
をコンピュータに実行させるためのプログラム。
【請求項５】
前記操作部位が前記第１のエリアと前記第２のエリアとの境界、又は前記第１のエリアと前記第３のエリアとの境界を越えて移動したときは、前記出力値をバンプレスに変化させる手順を備えたことを特徴とする請求項１乃至４のいずれか１項に記載のプログラム。
【請求項６】
前記インクリメント手順は、前記第１のエリア内において前記出力値がとることのできる最大値と最小値とを順次増加し、
前記デクリメント手順は、前記第１のエリア内において前記出力値がとることのできる前記最大値と前記最小値とを順次減少することを特徴とする請求項１乃至５のいずれか１項に記載のプログラム。
【請求項７】
前記インクリメント手順又はデクリメント手順は、前記出力値、前記最大値及び前記小値を同一速度で変化させることを特徴とする請求項６に記載のプログラム。
【請求項８】
所定の軌道に沿って操作部位を移動することにより出力値を調節する操作装置であって、
前記操作部位の軌道上の位置を検出する位置検出手段と、
前記出力値を順次増加させるインクリメント手段と、
前記出力値を順次減少させるデクリメント手段とを有し、
前記位置検出手段で検出した位置が前記軌道上の第１のエリア内にある場合は、前記軌道上の位置に対応した値を前記出力値とし、
前記位置検出手段で検出した位置が前記第１のエリアに隣接する前記軌道上の第２のエリア内にある場合は、前記軌道上の位置に対応した前記出力値を前記インクリメント手段によりインクリメントし、
前記位置検出手段で検出した位置が前記第１のエリアに隣接する前記軌道上の第３のエリア内にある場合は、前記軌道上の位置に対応した前記出力値を前記デクリメント手段によりデクリメントすること
を特徴とする操作装置。
【請求項９】
所定の軸のまわりに操作部位を回動することにより出力する値を調節する操作装置であって、
前記操作部位の回動位置を検出する位置検出手段と、
前記出力値を順次増加させるインクリメント手段と、
前記出力値を順次減少させるデクリメント手段とを有し、
前記位置検出手段で検出した回動位置が回動軌道上の第１のエリア内にある場合は、前記回動位置に対応した値を前記出力値とし、
前記位置検出手段で検出した回動位置が前記第１のエリアに隣接する前記回動軌道上の第２のエリア内にある場合は、前記回動位置に対応した前記出力値を前記インクリメント手段によりインクリメントし、
前記位置検出手段で検出した回動位置が前記第１のエリアに隣接する前記回動軌道上の第３のエリア内にある場合は、前記回動位置に対応した前記出力値を前記デクリメント手段によりデクリメントすること
を特徴とする操作装置。
【請求項１０】
前記インクリメント手段は、前記第１のエリア内において前記出力値がとることのできる最大値と最小値とを順次増加し、
前記デクリメント手段は、前記第１のエリア内において前記出力値がとることのできる前記最大値と前記最小値とを順次減少することを特徴とする請求項８または９に記載の操作装置。
【請求項１１】
所定の軌道に沿って移動する操作部位を有する操作オブジェクトのイメージを表示する手順と、
前記操作部位の軌道上の位置を検出する位置検出手順と、
前記位置検出手順で検出した位置が前記軌道上の第１のエリア内にある場合は、前記軌道上の位置に対応した値を出力値とする出力手順と、
前記位置検出手順で検出した位置が前記第１のエリアに隣接する前記軌道上の第２のエリア内にある場合は、前記軌道上の位置に対応した前記出力値を順次増加させるインクリメント手順と、
前記位置検出手順で検出した位置が前記第１のエリアに隣接する前記軌道上の第３のエリア内にある場合は、前記軌道上の位置に対応した前記出力値を順次減少させるデクリメント手順と、
をコンピュータに実行させるためのプログラムを記憶した記憶媒体。
【請求項１２】
所定の軸のまわりに回動する操作部位を有する操作オブジェクトのイメージを表示する手順と、
前記操作部位の回動位置を検出する位置検出手順と、
前記位置検出手順で検出した回動位置が回動軌道上の第１のエリア内にある場合は、前記回動位置に対応した値を出力値とする出力手順と、
前記位置検出手順で検出した回動位置が前記第１のエリアに隣接する前記回動軌道上の第２のエリア内にある場合は、前記回動位置に対応した前記出力値を順次増加させるインクリメント手順と、
前記位置検出手順で検出した回動位置が前記第１のエリアに隣接する前記回動軌道上の第３のエリア内にある場合は、前記回動位置に対応した前記出力値を順次減少させるデクリメント手順と、
をコンピュータに実行させるためのプログラムを記憶した記憶媒体。
【請求項１３】
前記インクリメント手順は、前記第１のエリア内において前記出力値がとることのできる最大値と最小値とを順次増加し、
前記デクリメント手順は、前記第１のエリア内において前記出力値がとることのできる前記最大値と前記最小値とを順次減少することを特徴とする請求項１１または１２に記載のプログラムを記憶した記憶媒体。
【請求項１４】
所定の軌道に沿って操作部位を移動することにより出力値を調節する操作方法であって、
前記操作部位の軌道上の位置を検出する位置検出手順と、
前記位置検出手順で検出した位置が前記軌道上の第１のエリア内にある場合は、前記軌道上の位置に対応した値を出力値とする出力手順と、
前記位置検出手順で検出した位置が前記第１のエリアに隣接する前記軌道上の第２のエリア内にある場合は、前記軌道上の位置に対応した前記出力値を順次増加させるインクリメント手順と、
前記位置検出手順で検出した位置が前記第１のエリアに隣接する前記軌道上の第３のエリア内にある場合は、前記軌道上の位置に対応した前記出力値を順次減少させるデクリメント手順と、
を備えたことを特徴とする操作方法。
【請求項１５】
所定の軸のまわりに操作部材を回動することにより出力する値を調節する操作方法であって、
前記操作部位の回動位置を検出する位置検出手順と、
前記位置検出手順で検出した回動位置が回動軌道上の第１のエリア内にある場合は、前記回動位置に対応した値を出力値とする出力手順と、
前記位置検出手順で検出した回動位置が前記第１のエリアに隣接する前記回動軌道上の第２のエリア内にある場合は、前記回動位置に対応した前記出力値を順次増加させるインクリメント手順と、
前記位置検出手順で検出した回動位置が前記第１のエリアに隣接する前記回動軌道上の第３のエリア内にある場合は、前記回動位置に対応した前記出力値を順次減少させるデクリメント手順と、
を備えたことを特徴とする操作方法。
【請求項１６】
前記インクリメント手順は、前記第１のエリア内において前記出力値がとることのできる最大値と最小値とを順次増加し、
前記デクリメント手順は、前記第１のエリア内において前記出力値がとることのできる前記最大値と前記最小値とを順次減少することを特徴とする請求項１４または１５に記載の操作方法。
【請求項１７】
請求項８乃至１０のいずれか１項に記載の操作装置を備えたことを特徴とする情報処理装置。
【発明の詳細な説明】
【技術分野】
【０００１】
本発明は、値を所望の値に調整するための操作技術に関し、特にその値の変化範囲が広く、且つ細かな調整が必要とされる場合に適した操作技術に関する。
【背景技術】
【０００２】
従来、パーソナルコンピュータなどの表示画面に、グラフィカルユーザーインターフェース（ＧＵＩ）を利用して調整すべき値を表示し、同じくＧＵＩを用いて表示されているつまみ等をマウスなどで操作する方法が一般的に使用されている。この操作方法では、調整すべき値の変化範囲が広い場合であっても、操作が容易でかつ簡便にできることが必要とされる。
【０００３】
このニーズを実現するため、粗調整を実施するスライダコントロールと、微調整を施すスピナを備え、表示された値に対して粗調整及び微調整の両方を実施できる調整機構が提案されている。さらに、表示された値の桁を指定してその桁の数字のみを調整可能とする、粗調整及び微調整の両方を実施できる調整機構も提案されている（例えば、特許文献１）。
【特許文献１】特開特開２００２−１６３０５２号公報
【発明の開示】
【発明が解決しようとする課題】
【０００４】
しかしながら、特許文献１に開示された調整方法は、粗調整操作と微調整操作とが個別操作となっているため、なお煩雑な操作となる場合があった。
【０００５】
例えば、一度粗調整を行っても微調整で所望の値に調整ができないときは、再度粗調整が必要となり粗調整と微調整を繰り返さなければならない。また、例えば日付と時間を調整する場合、年月日時分秒それぞれについて数字のインクリメント／デクリメントを繰り返さなければならない。
【０００６】
本発明は、かかる事情に鑑みてなされたものであり、値の変化範囲が広く且つ細かな調整が必要とされる場合であっても、少ない操作で所望の値に調整することのできる操作装置、操作プログラム、記憶媒体及び操作方法を提供することを目的とする。
【課題を解決するための手段】
【０００７】
本発明に係る請求項１に記載のプログラムは、所定の軌道に沿って移動する操作部位を有する操作オブジェクトのイメージを表示する手順と、操作部位の軌道上の位置を検出する位置検出手順と、位置検出手順で検出した位置が軌道上の第１のエリア内にある場合は、軌道上の位置に対応した値を出力値とする出力手順と、位置検出手順で検出した位置が第１のエリアに隣接する軌道上の第２のエリア内にある場合は、軌道上の位置に対応した出力値を順次増加させるインクリメント手順と、位置検出手順で検出した位置が第１のエリアに隣接する軌道上の第３のエリア内にある場合は、軌道上の位置に対応した出力値を順次減少させるデクリメント手順と、をコンピュータに実行させる。
【０００８】
また本発明に係る請求項２に記載のプログラムは、上記記載の発明であるプログラムにおいて、軌道は、直線である。
【０００９】
また本発明に係る請求項３に記載のプログラムは、上記記載の発明であるプログラムにおいて、軌道は、円弧である。
【００１０】
また本発明に係る請求項４に記載のプログラムは、所定の軸のまわりに回動する操作部位を有する操作オブジェクトのイメージを表示する手順と、操作部位の回動位置を検出する位置検出手順と、位置検出手順で検出した回動位置が回動軌道上の第１のエリア内にある場合は、前記回動位置に対応した値を出力値とする出力手順と、位置検出手順で検出した回動位置が第１のエリアに隣接する回動軌道上の第２のエリア内にある場合は、回動位置に対応した出力値を順次増加させるインクリメント手順と、位置検出手順で検出した回動位置が第１のエリアに隣接する回動軌道上の第３のエリア内にある場合は、回動位置に対応した出力値を順次減少させるデクリメント手順と、をコンピュータに実行させる。
【００１１】
また本発明に係る請求項５に記載のプログラムは、上記記載の発明であるプログラムにおいて、操作部位が第１のエリアと第２のエリアとの境界、又は第１のエリアと第３のエリアとの境界を越えて移動したときは、出力値をバンプレスに変化させる手順を備えた。
【００１２】
また本発明に係る請求項６に記載のプログラムは、上記記載の発明であるプログラムにおいて、インクリメント手順は、第１のエリア内において出力値がとることのできる最大値と最小値とを順次増加し、デクリメント手順は、第１のエリア内において出力値がとることのできる最大値と最小値とを順次減少する。
【００１３】
また本発明に係る請求項７に記載のプログラムは、上記記載の発明であるプログラムにおいて、インクリメント手順又はデクリメント手順は、出力値、最大値及び小値を同一速度で変化させる。
【００１４】
また本発明に係る請求項８に記載の操作装置は、所定の軌道に沿って操作部位を移動することにより出力値を調節する操作装置であって、操作部位の軌道上の位置を検出する位置検出手段と、出力値を順次増加させるインクリメント手段と、出力値を順次減少させるデクリメント手段とを有し、位置検出手段で検出した位置が軌道上の第１のエリア内にある場合は、軌道上の位置に対応した値を前記出力値とし、位置検出手段で検出した位置が第１のエリアに隣接する軌道上の第２のエリア内にある場合は、軌道上の位置に対応した出力値をインクリメント手段によりインクリメントし、位置検出手段で検出した位置が第１のエリアに隣接する軌道上の第３のエリア内にある場合は、軌道上の位置に対応した出力値をデクリメント手段によりデクリメントする。
【００１５】
また本発明に係る請求項９に記載の操作装置は、所定の軸のまわりに操作部位を回動することにより出力する値を調節する操作装置であって、操作部位の回動位置を検出する位置検出手段と、出力値を順次増加させるインクリメント手段と、出力値を順次減少させるデクリメント手段とを有し、位置検出手段で検出した回動位置が回動軌道上の第１のエリア内にある場合は、回動位置に対応した値を出力値とし、位置検出手段で検出した回動位置が第１のエリアに隣接する回動軌道上の第２のエリア内にある場合は、回動位置に対応した出力値をインクリメント手段によりインクリメントし、位置検出手段で検出した回動位置が第１のエリアに隣接する回動軌道上の第３のエリア内にある場合は、回動位置に対応した出力値をデクリメント手段によりデクリメントする。
【００１６】
また本発明に係る請求項１０に記載の操作装置は、上記記載の発明である操作装置において、インクリメント手段は、第１のエリア内において出力値がとることのできる最大値と最小値とを順次増加し、デクリメント手段は、第１のエリア内において出力値がとることのできる最大値と最小値とを順次減少する。
【００１７】
また本発明に係る請求項１１に記載の記憶媒体は、所定の軌道に沿って移動する操作部位を有する操作オブジェクトのイメージを表示する手順と、操作部位の軌道上の位置を検出する位置検出手順と、位置検出手順で検出した位置が軌道上の第１のエリア内にある場合は、軌道上の位置に対応した値を出力値とする出力手順と、位置検出手順で検出した位置が第１のエリアに隣接する軌道上の第２のエリア内にある場合は、軌道上の位置に対応した出力値を順次増加させるインクリメント手順と、位置検出手順で検出した位置が第１のエリアに隣接する軌道上の第３のエリア内にある場合は、軌道上の位置に対応した出力値を順次減少させるデクリメント手順と、をコンピュータに実行させる。
【００１８】
また本発明に係る請求項１２に記載の記憶媒体は、所定の軸のまわりに回動する操作部位を有する操作オブジェクトのイメージを表示する手順と、操作部位の回動位置を検出する位置検出手順と、位置検出手順で検出した回動位置が回動軌道上の第１のエリア内にある場合は、回動位置に対応した値を出力値とする出力手順と、位置検出手順で検出した回動位置が第１のエリアに隣接する回動軌道上の第２のエリア内にある場合は、回動位置に対応した出力値を順次増加させるインクリメント手順と、位置検出手順で検出した回動位置が第１のエリアに隣接する回動軌道上の第３のエリア内にある場合は、回動位置に対応した出力値を順次減少させるデクリメント手順と、をコンピュータに実行させる。
【００１９】
また本発明に係る請求項１３に記載の記憶媒体は、上記記載の発明である記憶媒体において、インクリメント手順は、第１のエリア内において出力値がとることのできる最大値と最小値とを順次増加し、デクリメント手順は、第１のエリア内において出力値がとることのできる最大値と最小値とを順次減少する。
【００２０】
また本発明に係る請求項１４に記載の操作方法は、所定の軌道に沿って操作部位を移動することにより出力値を調節する操作方法であって、操作部位の軌道上の位置を検出する位置検出手順と、位置検出手順で検出した位置が軌道上の第１のエリア内にある場合は、軌道上の位置に対応した値を出力値とする出力手順と、位置検出手順で検出した位置が第１のエリアに隣接する軌道上の第２のエリア内にある場合は、軌道上の位置に対応した出力値を順次増加させるインクリメント手順と、位置検出手順で検出した位置が第１のエリアに隣接する軌道上の第３のエリア内にある場合は、軌道上の位置に対応した出力値を順次減少させるデクリメント手順と、を備えた。
【００２１】
また本発明に係る請求項１５に記載の操作方法は、所定の軸のまわりに操作部材を回動することにより出力する値を調節する操作方法であって、操作部位の回動位置を検出する位置検出手順と、位置検出手順で検出した回動位置が回動軌道上の第１のエリア内にある場合は、回動位置に対応した値を出力値とする出力手順と、位置検出手順で検出した回動位置が第１のエリアに隣接する回動軌道上の第２のエリア内にある場合は、回動位置に対応した出力値を順次増加させるインクリメント手順と、位置検出手順で検出した回動位置が第１のエリアに隣接する回動軌道上の第３のエリア内にある場合は、回動位置に対応した出力値を順次減少させるデクリメント手順と、を備えた。
【００２２】
また本発明に係る請求項１６に記載の操作方法は、上記記載の発明である操作方法においてインクリメント手順は、第１のエリア内において出力値がとることのできる最大値と最小値とを順次増加し、デクリメント手順は、第１のエリア内において出力値がとることのできる最大値と最小値とを順次減少する。
【００２３】
また本発明に係る請求項１７に記載の情報処理装置は、上記記載の発明である操作装置を備えた。
【発明の効果】
【００２４】
本発明の操作方法によれば、値の変化範囲が広く且つ細かな調整が必要とされる場合であっても、少ない操作で所望の値に調整することができる。
【発明を実施するための最良の形態】
【００２５】
［第１の実施の形態］
図１は、本発明に係る第１の実施の形態の操作装置の構成を示す図である。操作装置は、スライダー調整器１、表示部２及び制御部３で構成されている。
【００２６】
スライダー調整器１は、調整者が値を変更操作するためのスライドレバー５を備えた操作端末である。表示部２は、操作変更された現在の値を表示するとともに、調整者が値を変更操作する際の微調整可能な最大値や最小値など各種参照データを表示する。制御部３は、スライダー調整器１からスライドレバー５の移動操作に関する信号を受取ってスライドレバー５の位置に対応する現在値等を算出して表示部２に出力すると共に外部に現在の値を出力する。
【００２７】
そして、表示部２は、現在値カウンタ７、スライド最大値カウンタ８ａ、スライド最小値カウンタ８ｂ、最大値カウンタ９ａ及び最小値カウンタ９ｂを備えている。
【００２８】
現在値カウンタ７は、調整者により調整設定された現在値を表示する。スライド最大値カウンタ８ａとスライド最小値カウンタ８ｂは、スライドレバー５の操作により微調整可能な値の最大値および最小値を表示する。最大値カウンタ９ａと最小値カウンタ９ｂは、スライダー調整器１で調整可能な値の最大値および最小値を表示する。
【００２９】
図２の（１）は、スライダー調整器１の構成を示す上面図であり、図２の（２）は、スライダー調整器１の矢視ＡＡに沿う縦断面図である。図２を参照しつつ、スライダー調整器１の構成を説明する。
【００３０】
スライダー調整器１は、上面が開放された箱１０が蓋１１で覆われた直方体の形状である。この蓋１１には長手方向に溝状の開口部が設けられ、この開口に沿ってスライドレバー５の位置を移動させることが可能である。
【００３１】
箱１０の内底面に設けられた位置センサ１２の上には移動板１３が配設され、さらにこの移動板１３の上面にスライドアーム１４が配されている。移動板１３はこのスライドアーム１４と共に左右方向に移動し、位置センサ１２が移動板１３上の刻みを光学的に検出して左右の移動に応じてアップダウンパルスを発生する。そして、蓋１１の開口部を貫通するスライドアーム１４の他端には、調整者がスライドアーム１４を握るためのツマミが装着されてスライドレバー５を構成している。
【００３２】
そして、箱１０内にあるスライドアーム１４の移動方向の前面と後面には、突出部１４ａ、１４ｂが設けられ、蓋１１の裏面に取付られた圧力センサ１５ａ、１５ｂと対向している。このため、スライドレバー５を開口部の一端まで移動させると、突出部１４ａが圧力センサ１５ａに圧接し、他の一端にまで移動させると突出部１４ｂが圧力センサ１５ｂに圧接する。
【００３３】
なお、蓋１１には、スライダー調整器１を各種装置に取り付けるための取付孔１７ａ、１７ｂが設けられている。また、制御部３はスライダー調整器１内に設けても良いし、スライダー調整器１、表示部２及び制御部３を一体のものとしても良い。なおスライダー調整器１内の位置センサ１２、圧力センサ１５ａ、１５ｂと外部の機器との間の検知信号線、電源線との接続は箱１０の側面又は底面に設けられた図示しない開口部を介して行われる。
【００３４】
図３は、操作装置の調整動作を説明する図である。
【００３５】
図３の（１）は、現在値を微調整する動作を説明する図である。スライドレバー５を図中で上下にスライドして移動させることにより、制御部３が位置センサ１２からの信号に基づいて現在値を算出して現在値カウンタ７に表示する。尚、制御部３は、スライドレバー５が開口部の上端位置にあるときは、スライド最大値カウンタ８ａの値を現在値とし、スライドレバー５が開口部の下端位置にあるときは、スライド最小値カウンタ８ｂの値を現在値として算出する。図３の（１）では、スライドレバー５の位置に対応して、現在値が８０であることが現在値カウンタ７に表示されている。
【００３６】
図３の（２）は、現在値を粗調整する動作を説明する図である。スライドレバー５を図中で上端に押圧してその状態を保持したときは、圧力センサ１５ａが突出部１４ａによって圧力を受け圧力信号を出力する。所定値以上の圧力信号が発生したことを検知した制御部３は、スライドレバー５が上端位置に保持されている期間中、即ち、圧力信号が出力されている間、微調整可能範囲を変化させる。
【００３７】
図４は、微調整可能範囲を変化させる動作を説明する図である。
【００３８】
図４において、縦軸は現在値カウンタ７の値を表わし、横軸はスライドレバー５の位置を表わしている。スライド位置０％は、スライドレバー５が下端位置にあることを示し、スライド位置１００％は、スライドレバー５が上端位置にあることを示している。
【００３９】
例えば、初期状態で、スライド位置と出力値が直線Ａの関係にある場合は、スライドレバー５を移動させることで現在値を０〜１００までの値に調整することが可能である。このとき、スライド最大値カウンタ９ａには、スライドレバー５の移動操作で調整可能な最大値１００が表示され、スライド最小値カウンタ９ｂには、同じくスライドレバー５の移動操作で調整可能な最小値０が表示されている。
【００４０】
スライドレバー５が開口部上端に押し付けられてその状態を保持したときは、制御部３はその期間中、スライド位置と出力値の関係である出力特性の直線を縦軸に沿って上方に平行移動する。そして、スライドレバー５を開口部上端に押し付けることを停止したときは、制御部３は出力特性の平行移動を停止する。この結果、スライド位置と出力値との対応関係を示す出力特性は直線Ａから直線Ｂに変化する。
【００４１】
従って、例えば図３の（２）に示すように、これ以降はスライドレバー５を移動させることで現在値を５３〜１５３までの値に調整することが可能である。このとき、スライド最大値カウンタ９ａには、調整可能な最大値１５３が表示され、スライド最小値カウンタ９ｂには、調整可能な最小値５３が表示される。
【００４２】
なお、出力特性を変更した場合であっても、出力値は予め定められた最大値３００を超えることはできない。即ち、図４において、出力特性は直線Ｃよりも上方に移動することはできない。スライド最大値カウンタ９ａは、調整可能な最大値３００を表示し、スライド最小値カウンタ９ｂは、予め定められた調整可能な最小値０を表示する。
【００４３】
またスライドレバー５が開口部下端に押し付けられてその状態を保持したときは、制御部３はその期間中、スライド位置と出力値の関係である出力特性を縦軸に沿って下方に平行移動する。この動作は上述の動作と特性曲線の移動方向が異なるだけであるため詳細の説明は省略する。
【００４４】
図５は、値を調整する場合の操作装置の各機能の関連を示す図である。本操作装置は、点線の枠で囲まれた部分を制御部３の機能として構成している。
【００４５】
調整者がスライドレバー５を移動操作して微調整を行ったときは、次のようにして現在カウンタ７の表示が更新される。
【００４６】
位置センサ１２が光学的に検出したスライドレバー５の移動は、エンコーダ２１によって電気信号に変換されて加算器２２に送られる。加算器２２は、スライド最小値カウンタ８ｂの値にスライドレバー５の移動距離に対応する値を加算又は減算して現在値レジスタ２３に格納する。現在値レジスタ２３に格納された値は現在値カウンタ７に表示される。出力インターフェース２４は、外部からの要求信号に応じて、現在値レジスタ２３に格納された値を出力する。
【００４７】
調整者がスライドレバー５を開口部上端位置に押し付けて保持したときは、次のようにしてスライド最大値カウンタ８ａとスライド最小値カウンタ８ｂの表示が更新される。
【００４８】
圧力センサ１５ａが検知した圧力は、エンコーダ２６ａにより電気信号に変換され、ゲート回路２８に出力する。ゲート回路２８では所定圧力に対応する電気信号が入力するとゲートが開かれ、クロック回路３０からの所定周期の発振信号がスライド最大値カウンタ８ａとスライド最小値カウンタ８ｂに入力する。
【００４９】
これによって、スライド最大値カウンタ８ａの値は所定の速度で増加（インクリメント）し、一方、スライド最小値カウンタ８ｂの値も同一速度で増加（インクリメント）する。この結果、微調整可能な範囲が増加する方向に変更される。
【００５０】
増加したスライド最大値カウンタ８ａの値は、比較器３４において最大値カウンタ９ａの値と比較され、スライド最大値カウンタ８ａの値が最大値カウンタ９ａの値と一致したときは、ゲート回路２８にゲートを閉じる信号を出力してスライド最大値カウンタ８ａとスライド最小値カウンタ８ｂへのカウント加算を停止する。この結果、微調整可能な範囲の上限は、最大値カウンタ９ａで示される値に制限される。
【００５１】
調整者がスライドレバー５を開口部下端位置に押し付けて保持したときは、次のようにしてスライド最大値カウンタ８ａとスライド最小値カウンタ８ｂの表示が更新される。
【００５２】
圧力センサ１５ｂが検知した圧力は、エンコーダ２６ｂにより電気信号に変換され、ゲート回路２９に出力する。ゲート回路２９では所定の圧力に対応する電気信号が入力するとゲートが開かれ、クロック回路３０からの所定周期の発振信号がスライド最大値カウンタ８ａとスライド最小値カウンタ８ｂに入力する。
【００５３】
これによって、スライド最大値カウンタ８ａの値は所定の速度で減少（デクリメント）し、一方、スライド最小値カウンタ８ｂの値も同一速度で減少（デクリメント）する。この結果、微調整可能な範囲が減少する方向に変更される。
【００５４】
減少したスライド最小値カウンタ８ｂの値は、比較器３５において最小値カウンタ９ｂの値と比較され、スライド最小値カウンタ８ｂの値が最小値カウンタ９ｂの値と一致したときは、ゲート回路２９にゲートを閉じる信号を出力してスライド最大値カウンタ８ａとスライド最小値カウンタ８ｂへのカウント減算を停止する。この結果、微調整可能な範囲の下限は、最小値カウンタ９ｂで示される値に制限される。
【００５５】
以上説明した第１の実施の形態によれば、１つのレバーを操作するだけで、変化範囲の広い値についても簡便な操作で細かく調整することができる。
【００５６】
なお、スライドレバー５が移動する軌道の形状は、直線に限られず円弧であっても良く、他の連続した曲線であってもよい。また、インクリメント又はデクリメントする速度を、圧力センサ１５ａ、１５ｂが検出したスライドレバー５の加圧力に応じて増減するようにしても良い。この場合、ゲート回路２８、２９は、単に入力したクロックをＯＮ／ＯＦＦするのではなく、圧力センサ１５ａ、１５ｂから入力する電気信号に応じて、クロック信号の周波数を変化するようにする。
【００５７】
［第２の実施の形態］
続いて、本発明に係る第２の実施の形態の操作装置について説明する。第２の実施の形態の操作装置は、スライダー調整器の構成のみが第１の実施形態の操作装置と異っている。従って、第１の実施の形態と同一の部分については同一の符号を付してその詳細の説明は省略する。
【００５８】
図６の（１）は、スライダー調整器４１の構成を示す上面図であり、図６の（２）は、スライダー調整器４１の内部構成を示す側面図である。スライダー調整器４１は、円柱体状のつまみ４２を時計方向あるいは反時計方向に回動させることにより値を調整する。
【００５９】
円柱体形状の箱４７の底面には回動角センサ４４が設けられている。この回動角センサ４４は、ロータリタイプのセンサであり、回動軸４３の回動角度を検出して出力する。回動軸４３は箱４７の上面に設けられた開口部を貫通して、その外部の一端にはつまみ４２が接続されている。
【００６０】
また、この回動軸４３には、ロッド４５が取り付けられており、回動軸４３とともに回動する。また、回動角センサ４４の上面には、圧力センサ４６ａ、４６ｂが受圧面を外側に向けて並べて配設されている。従って、例えば、つまみ４２を時計回りに一杯に回動するとロッド４５が圧力センサ４６ａを押圧し、つまみ４２を反時計回りに一杯に回動するとロッド４５が圧力センサ４６ｂを押圧する。
【００６１】
ここで、制御部３はスライダー調整器４１の箱４７内に設けても良い。またスライダー調整器４１内の回動角センサ４４、圧力センサ４６ａ、４６ｂと外部の機器との間の検知信号線、電源線等との接続は箱４７に設けられた図示しない開口部を介して行われる。
【００６２】
なお、第２の実施の形態に係る操作装置の動作は、第１の実施の形態に係る操作装置の動作と同様であるためその詳細の説明は省略する。
【００６３】
なお、つまみ４２の動きは回動角センサ４４を用いて検出しているが、つまみ４２の所定の部位が回動する位置を位置センサを用いて検出しても良い。即ち、回動角センサ４４、位置センサはつまみ４２の回動位置を検知するセンサに含めることができる。
【００６４】
以上説明した第２の実施の形態によれば、第１の実施の形態と同様に１つのつまみを操作するだけで、変化範囲の広い値についても簡便な操作で細かく調整することができる。
【００６５】
［第３の実施の形態］
次に、本発明に係る第３の実施の形態の操作装置について説明する。第３の実施の形態の操作装置は、第１の実施形態の操作装置の機能をプログラムを用いて構成する点が異なっている。調整者は、表示画面に表示されるスライドレバーをマウスなどを用いて移動させることで値を調整する。
【００６６】
図７は、操作装置６０の構成を示す図である。操作装置６０は、通信インターフェース６１、表示部６２、操作入力部６３、処理部６４、一次メモリ６５及び二次メモリ６６を備えている。
【００６７】
通信インターフェース６１は、外部装置（不図示）との間で各種データを通信により授受するためのインターフェースである。表示部６２は、値を調整するための操作画面を表示する。操作入力部６３は、操作画面に対する操作指示を入力するためのマンマシンインターフェースである。
【００６８】
処理部６４は、操作装置６０の動作を統括的に制御する。一次メモリ６５は、操作装置６０の各機能を制御するプログラムを保存する。二次メモリ６６は、操作装置６０の処理に用いるデータを記憶する。
【００６９】
続いて、操作装置６０の動作について説明する。図８は、表示部６２に表示されるスライダーオブジェクトの操作画面を示す図である。
【００７０】
スライダーオブジェクトの操作画面には、スライドレバー７０、インクリメントエリア７１、デクリメントエリア７２、現在値７３、スライド最大値７４ａ、スライド最小値７４ｂ、最大値７５ａ及び最小値７５ｂが表示されている。
【００７１】
スライドレバー７０は、調整者が値を微調整するための操作アイコンである。インクリメントエリア７１及びデクリメントエリア７２は、調整者が値を粗調整するためのアイコン操作エリアである。
【００７２】
現在値７３は、調整者により調整設定された現在の値を表示する。スライド最大値７４ａとスライド最小値７４ｂは、スライドレバー７０の操作により微調整可能な値の最大値および最小値を表示する。最大値７５ａと最小値７５ｂは、この操作画面で調整可能な値の最大値および最小値を表示する。
【００７３】
調整者がマウスポインタ７８をスライドレバー７０の上に重ねてマウスボタンを押してそのまま上下にドラッグしてスライドレバー７０の位置を変更することで現在値７３を変更することができる。このとき、現在値７３はスライドレバー７０の近傍に表示されるため、容易に変更された値を確認することができる。
【００７４】
図９は、粗調整の操作を説明する図である。
【００７５】
図９の（１）に示すように、調整者がスライドレバー７０の位置を上端部にまで移動しても所望の値にできないときは、マウスボタンを押したままマウスポインタ７８をインクリメントエリア７１にドラッグする。そうすると、スライド最大値７４ａとスライド最小値７４ｂが所定の速度で増加を開始し、これに合わせて現在値７３も増加する。
【００７６】
なお、スライドレバー７０を上端部からインクリメントエリア７１に移動したときに、現在値が突発的に変化することのないように現在値をバンプレスに変化させることで操作の連続性を確保している。
【００７７】
調整者は、スライド最大値７４ａとスライド最小値７４ｂが所要の値を含む範囲になったときにマウスボタンを離してインクリメント動作を停止させた後、スライドレバー７０の位置を操作して所要の値に調整する。
【００７８】
なお、最大値７５ａは常に表示しても良く、また、マウスポインタ７８がインクリメントエリア７１に重ねられた時に表示しても良い。そうすれば、調整者は粗調整動作に移ることを容易に確認することができる。
【００７９】
図９の（２）に示すように、調整者がスライドレバー７０の位置を下端部にまで移動しても所要の値にならないときは、マウスボタンを押したままマウスポインタ７８をデクリメントエリア７２にドラッグする。そうすると、スライド最大値７４ａとスライド最小値７４ｂが所定の速度で減少を開始し、これに合わせて現在値７３も増加する。
【００８０】
なお、スライドレバー７０を下端部からデクリメントエリア７２に移動したときに、現在値が突発的に変化することのないように現在値をバンプレスに変化させることで操作の連続性を確保している。
【００８１】
調整者は、スライド最大値７４ａとスライド最小値７４ｂが所要の値を含む範囲になったときにマウスボタンを離してデクリメント動作を停止させた後、スライドレバー７０の位置を操作して所要の値に調整する。
【００８２】
なお、最小値７５ｂは常に表示しても良く、また、マウスポインタ７８がデクリメントエリア７２に重ねられた時に表示しても良い。そうすれば、調整者は粗調整動作に移ることを容易に確認することができる。
【００８３】
以上述べたスライダーオブジェクトの動作は処理部６４で実行されるプログラムによって実現することができる。図１０は、スライダーオブジェクトの動作に係る機能のつながりを示す図である。
【００８４】
アプリケーションプログラム８０は、スライダーオブジェクト８１と他のプログラム要素８２が互いにメッセージを交換してスライダーオブジェクトによる値の調整動作を実現する。即ち、スライダーオブジェクト８１は、スライドレバー７０の操作に応じて現在値等の値を更新する。そして、他のプログラム要素８２から値の問い合わせに応答して、更新した現在値を受け渡す。
【００８５】
このようにスライダーオブジェクトの処理プログラムを構成することによって、種々のアプリケーションプログラムに汎用的に使用することができる。例えば、表示部６２に表示されたスライダーオブジェクトを用いて現在値等の更新を行う形態に限られず、第１の実施の形態に示すスライダー調整器１との間で信号授受を行って現在値等を更新することもできる。
【００８６】
図１１は、スライダーオブジェクトの概略の動作手順を示すフロー図である。
【００８７】
スライダーオブジェクト８１は常時監視されており、操作されたことが検出されると、所定の処理が実行される。
【００８８】
スライドレバー７０が操作されたことを検出したとき（Ｓ０１）は、スライドレバー７０の現在位置を検出する（Ｓ０２）。そして、スライドレバー７０の現在位置に対応した数値を求め、その数値にスライド最小値を加算した値を現在値７３とする（Ｓ０３）。
【００８９】
スライドレバー７０が操作された後、マウスボタンが押されたままインクリメントエリア７１にマウスポインタ７８が入ったことを検出したとき（Ｓ０５）は、インクリメントエリア７１を選択状態とする（Ｓ０６）。そして、所定時間毎に現在値７３、スライド最大値７４ａ、スライド最小値７４ｂを所定値だけインクリメントする（Ｓ０７）。
【００９０】
次にマウスボタンが離されるなどによりインクリメント操作が解除されたかどうかを調べ、インクリメント操作が解除されていない場合（Ｓ０８  Ｎｏ）は、スライド最大値７４ａが最大値７５ａよりも小さい限り（Ｓ０９  Ｙｅｓ）インクリメント動作を継続する（Ｓ０７）。
【００９１】
しかし、インクリメント操作が解除された場合（Ｓ０８  Ｙｅｓ）あるいは、スライド最大値７４ａが最大値７５ａに到達したとき（Ｓ０９  Ｎｏ）は、インクリメント動作を終了してインクリメントエリア７１の選択状態を解除する（Ｓ１０）。
【００９２】
スライドレバー７０が操作された後、マウスボタンが押されたままデクリメントエリア７２にマウスポインタ７８が入ったことを検出したとき（Ｓ１５）は、デクリメントエリア７２を選択状態とする（Ｓ１６）。そして、所定時間毎に現在値７３、スライド最大値７４ａ、スライド最小値７４ｂを所定値だけデクリメントする（Ｓ１７）。
【００９３】
次にマウスボタンが離されるなどによりデクリメント操作が解除されたかどうかを調べ、デクリメント操作が解除されていない場合（Ｓ１８  Ｎｏ）は、スライド最小値７４ｂが最小値７５ｂよりも大きい限り（Ｓ１９  Ｙｅｓ）デクリメント動作を継続する（Ｓ１７）。
【００９４】
しかし、デクリメント操作が解除された場合（Ｓ１８  Ｙｅｓ）あるいは、スライド最小値７４ｂが最小値７５ｂに到達したとき（Ｓ１９  Ｎｏ）は、デクリメント動作を終了してデクリメントエリア７２の選択状態を解除する（Ｓ２０）。
【００９５】
第３の実施の形態によれば、第１の実施の形態の操作装置と同様の効果を備えた操作装置をプログラムを用いて構成することができる。
【００９６】
［第４の実施の形態］
続いて、本発明に係る第４の実施の形態の操作装置について説明する。第４の実施の形態の操作装置は、第３の実施形態の操作装置と同様にプログラムを用いて構成するが、複数の単位の値を調整するように構成されている点で第３の実施形態と異なっている。従って、第３の実施の形態と同一の部分については同一の符号を付してその詳細の説明は省略する。
【００９７】
図１２は、表示部６２に表示されるスライダー操作画面を示す図である。
【００９８】
スライダーの操作画面には、スライドレバー８５、リニアエリア８６、インクリメントエリア８７、デクリメントエリア８８、現在分秒値９１、スライド最大値９２ａ、スライド最小値９２ｂ及び現在時間９５が表示されている。
【００９９】
スライドレバー８５は、調整者が値を調整するための操作アイコンである。リニアエリア８６は、調整者が値を微調整するためのアイコン操作エリアである。インクリメントエリア８７及びデクリメントエリア８８は、調整者が値を粗調整するためのアイコン操作エリアである。
【０１００】
現在分秒値９１は、現在の時刻の分秒を表示する。従って、表示される時刻は刻々と変化している。スライド最大値９２ａとスライド最小値９２ｂは、スライドレバー８５の操作により調整可能な値の最大値および最小値を表示する。従って、現在分秒値９１の変化に合わせてスライド最大値９２ａとスライド最小値９２ｂの値も変化する。現在時間９５は、現在の年月日時分秒を表示する。
【０１０１】
次に、分秒単位を調整する操作を説明する。調整者がマウスポインタ８９をスライドレバー８５の上に重ねてマウスボタンを押し、そのまま上下にドラッグしてスライドレバー８５の位置を変更することで現在分秒値９１を変更することができる。このとき、スライドレバー８５の位置に対応して、現在分秒値が定まる。また、現在分秒値９１はスライドレバー８５の近傍に表示されるため、容易に変更された値を確認することができる。
【０１０２】
図１３は、年月日時分単位で調整する操作を説明する図である。
【０１０３】
図１３の（１）は、「分」を調整する場合の操作を示している。調整者がスライドレバー８５の位置をリニアエリア８６の上端部にまで移動しても現在分秒値９１が所要の値にならないときは、スライドレバー８５をインクリメントエリア８７の「分」位置まで移動する。そうすると、現在分秒値９１、スライド最大値９２ａ、スライド最小値９２ｂ及び現在時間９５が所定の時間間隔で１分づつ増加を開始する。
【０１０４】
調整者は、スライド最大値９２ａとスライド最小値９２ｂが所要の分秒値を含む範囲を示したときにスライドレバー８５の位置をリニアエリア８６に移動するか、マウスボタンを離してインクリメント動作を停止させた後、スライドレバー８５の位置を操作して上述の操作によって分秒値を所望の値に微調整する。
【０１０５】
図９の（２）は、「年」、「月」、「日」、「時」を調整する場合の操作を示している。調整者はスライドレバー８５の位置をインクリメントエリア８７の「年」、「月」、「日」、「時」のいずれかの位置に移動する。そうすると、現在時間９５が所定の時間間隔で選択した時間単位（「１年」、「１月」、「１日」、「１時間」）で増加を開始する。調整者は、現在時間９５の選択した項目が所望の値になったときは、次に変更する項目にスライドレバー８５を移動して上述の要領で現在時間９５を調整する。
【０１０６】
図１４、図１５は、スライダーオブジェクトの概略の動作手順を示すフロー図である。図１４、図１５を参照しつつスライダーオブジェクトの動作を説明する。
【０１０７】
スライダーオブジェクト８１は常時監視されており、操作されたことが検出されると、所定の処理が実行される。
【０１０８】
スライドレバー８５が操作されたことを検出したとき（Ｓ３１）は、スライドレバー８５の現在位置を検出する（Ｓ３２）。そして、スライドレバー８５の現在位置に対応した数値を求め、その数値にスライド最小値を加算した値を現在分秒値９１とする（Ｓ３３）。そして、その値を現在時間９５の分秒値とする。
【０１０９】
スライドレバー８５が操作された後、マウスボタンが押されたままインクリメントエリア８７にマウスポインタ８９が入ったことを検出したとき（Ｓ４１）は、インクリメントエリア８７を選択状態とする（Ｓ４２）。そして、選択された時間単位を検出する（Ｓ４３）。
【０１１０】
選択された時間単位が分のときは（Ｓ４４  Ｙｅｓ）、所定時間毎に現在分秒値９１、スライド最大値９２ａ、スライド最小値９２ｂ及び現在時間９５を１分だけインクリメントする（Ｓ４５）。
【０１１１】
選択された時間単位が分以外のときは（Ｓ４４  Ｎｏ）、所定時間毎に現在時間９５を選択した時間単位（「１年」、「１月」、「１日」、「１時間」）だけインクリメントする（Ｓ４６）。
【０１１２】
次にマウスボタンが離されるなどによりインクリメント操作が解除されたかどうかを調べ、インクリメント操作が解除されていない場合（Ｓ４７  Ｎｏ）は、インクリメント動作を継続する（Ｓ４４〜Ｓ４７）。
【０１１３】
しかし、インクリメント操作が解除された場合（Ｓ４７  Ｙｅｓ）は、インクリメント動作を終了してインクリメントエリア８７の選択状態を解除する（Ｓ４８）。
【０１１４】
スライドレバー８５が操作された後、マウスボタンが押されたままデクリメントエリア８８にマウスポインタ８９が入ったことを検出したとき（Ｓ５１）は、デクリメントエリア８８を選択状態とする（Ｓ５２）。そして、選択された時間単位を検出する（Ｓ５３）。
【０１１５】
選択された時間単位が分のときは（Ｓ５４  Ｙｅｓ）、所定時間毎に現在分秒値９１、スライド最大値９２ａ、スライド最小値９２ｂ及び現在時間９５を１分だけデクリメントする（Ｓ５５）。
【０１１６】
選択された時間単位が分以外のときは（Ｓ５４  Ｎｏ）、所定時間毎に現在時間９５を選択した時間単位（「１年」、「１月」、「１日」、「１時間」）だけデクリメントする（Ｓ５６）。
【０１１７】
次にマウスボタンが離されるなどによりデクリメント操作が解除されたかどうかを調べ、デクリメント操作が解除されていない場合（Ｓ５７  Ｎｏ）は、デクリメント動作を継続する（Ｓ５４〜Ｓ５７）。
【０１１８】
しかし、デクリメント操作が解除された場合（Ｓ４７  Ｙｅｓ）は、インクリメント動作を終了してデクリメントエリア８８の選択状態を解除する（Ｓ５８）。
【０１１９】
第４の実施の形態によれば、複数の単位の値を調整することができ、かつ第３の実施の形態と同様の効果を得ることができる。
【０１２０】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【０１２１】
例えば、第３、第４の実施の形態に示すスライダー操作画面を装置として構成しても良い。即ち、第１、第２の実施の形態では、圧力センサを用いてインクリメント、デクリメントの動作を実行したが、圧力センサに代えてインクリメント、デクリメント動作を実行するエリアを設けても良い。
【０１２２】
更に、各機能は図示しない記憶媒体に格納したプログラムをコンピュータに読み込ませることで実現させることもできる。ここで本実施の形態における記憶媒体は、プログラムを記録でき、かつコンピュータが読み取り可能な記憶媒体であれば、その記録形式は何れの形態であってもよい。
【０１２３】
また、本発明に係る操作装置、操作プログラムは、広く種々の装置に適用することができる。例えば、映像情報、音声情報などの情報記録装置、情報再生装置、情報編集装置などの情報処理装置の操作カウンタとして適用することができる。
【０１２４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１２５】
【図１】本発明に係る第１の実施の形態の操作装置の構成を示す図。
【図２】スライダー調整器の構成を示す図。
【図３】操作装置の調整動作を説明する図。
【図４】微調整可能範囲を変化させる動作を説明する図。
【図５】値を調整する場合の操作装置の各機能の関連を示す図。
【図６】スライダー調整器の構成を示す上面図。
【図７】操作装置の構成を示す図。
【図８】スライダーの操作画面を示す図。
【図９】粗調整の操作を説明する図。
【図１０】スライダーの動作に係る機能のつながりを示す図。
【図１１】スライダーオブジェクトの概略の動作手順を示すフロー図。
【図１２】スライダー操作画面を示す図。
【図１３】年月日時分単位で調整する操作を説明する図。
【図１４】スライダーオブジェクトの概略の動作手順を示すフロー図。
【図１５】スライダーオブジェクトの概略の動作手順を示すフロー図。
【符号の説明】
【０１２６】
１…スライダー調整器、２…表示部、３…制御部、５…スライドレバー、７…現在値カウンタ、８ａ…スライド最大値カウンタ、８ｂ…スライド最小値カウンタ、９ａ…最大値カウンタ、９ｂ…最小値カウンタ、１２…位置センサ、１５…圧力センサ、４２…つまみ、４３…回動軸、４４…回動角センサ、４６…圧力センサ、６２…表示部、６３…操作入力部、６４…処理部、７０…スライドレバー、７１…インクリメントエリア、７２…デクリメントエリア、７３…現在値、７４ａ…スライド最大値、７４ｂ…スライド最大小値、７５ａ…最大値、７５ｂ…最小値、７８…マウスポインタ、８１…スライダーオブジェクト、８５…スライドレバー、８６…リニアエリア、８７…インクリメントエリア、８８…デクリメントエリア、９１…現在分秒値、９２ａ…スライド最大値、９２ｂ…スライド最大小値、９５…現在時間。
【図１】
2005128954.tif 000003
【図２】
2005128954.tif 000004
【図３】
2005128954.tif 000005
【図４】
2005128954.tif 000006
【図５】
2005128954.tif 000007
【図６】
2005128954.tif 000008
【図７】
2005128954.tif 000009
【図８】
2005128954.tif 000010
【図９】
2005128954.tif 000011
【図１０】
2005128954.tif 000012
【図１１】
2005128954.tif 000013
【図１２】
2005128954.tif 000014
【図１３】
2005128954.tif 000015
【図１４】
2005128954.tif 000016
【図１５】
2005128954.tif 000017